(57)【要約】【課題】２台の回路遮断器の一方がＯＮ状態にあるとき他方をＯＮにできないような、取付の簡単なインターロック装置を提供する。【解決手段】右側遮断器上にベース１２Ａを設け、ベース１２Ａ上にハンドル１１Ａを保持するハンドル保持孔１７Ａとロックピン２１Ａが差し込まれるひょうたん型孔２０Ａを有する操作レバー１３Ａ及びロックレバー１５Ａを設ける。ロックレバー１５Ａの一端にはロックピン２１Ａが装着され他端には保持ピン２２Ａが装着されている。保持ピン２２Ａが対向する位置にはクリップ２３Ａが設けられており、保持ピン２２Ａには連結バー２４Ａが回転自在に取り付けられている。左側遮断器には右側遮断器と左右対称に右側と同じ部材が設けられており、連結バー２４Ａと連結バー２４Ｂがねじ２５によって連結されている。右側遮断器がＯＮ状態になると、ロックレバー１５Ａの回転に追随してロックレバー１５Ｂも回転して操作レバー１３Ｂの回転がロックピン２１Ｂによって阻止される。【選択図】　図１
2004006202.tif 000002
【特許請求の範囲】
【請求項１】
箱内に開閉接触子と前記開閉接触子を操作する開閉機構が収納され、前記開閉機構を操作するハンドルが前記箱から突き出るように設けられた２台の回路遮断器が同時にＯＮ状態になることを阻止する機械的なインターロック装置において、
前記ハンドル（１１Ａ、１１Ｂ）の移動に追随して回転する操作レバー（１３Ａ、１３Ｂ）と、
ロックピン（２１Ａ，２１Ｂ）を備えたロックレバー（１５Ａ，１５Ｂ）と、
前記回路遮断器がＯＮ及びＯＦＦ操作されるとき前記ロックピンと係合して前記ロックレバーを回転させる前記操作レバーに設けられた操作縁（１９Ａ，１９Ｂ）と、
前記ロックレバーがロック位置にあるとき前記ロックピンが係合して前記操作レバーのＯＮ方向の回転を阻止する前記操作レバーに設けられたロック縁（１８Ａ、１８Ｂ）と、
を双方の前記回路遮断器に備え、
いずれか一方の前記回路遮断器がＯＮ操作されたとき他方の前記回路遮断器の前記ロックレバーをロック位置に変位させるように双方の前記回路遮断器のロックレバーを連結する連結部材を備えたことを特徴とする回路遮断器のインターロック装置。
【請求項２】
ＯＮ状態にある一方の前記回路遮断器がトリップ状態になったとき該一方の前記回路遮断器のロックレバーをＯＮ状態の位置に保持する保持手段を双方の前記回路遮断器に備えたことを特徴とする請求項１の回路遮断器のインターロック装置。
【請求項３】
前記保持手段は前記ロックレバーに設けられた保持ピン（２２Ａ、２２Ｂ）とロックレバーがＯＮ状態の位置に保持されるよう前記保持ピンを保持するベース部材に設けられた弾性部材（２３Ａ，２３Ｂ）であることを特徴とする請求項２の回路遮断器のインターロック装置。
【請求項４】
前記連結部材（２４Ａ、２４Ｂ、２５）は直線的にスライドすることを特徴とする請求項１，２又は３の回路遮断器のインターロック装置。
【請求項５】
前記操作レバーがＯＮ方向に回転したとき回転する連結用レバー（３１Ａ、３１Ｂ）を双方の前記回路遮断器に設けるとともに固定されたチューブ（３８）内をスライド自在であってその一方及び他方の端部がそれぞれ一方及び他方の前記回路遮断器の前記連結用レバーに連結されるワイヤーを設け、一方側の前記操作レバーがＯＮ方向に回転したとき他方側の前記連結用レバーは該他方側の前記ロックレバーをロック位置に回転させることを特徴とする請求項１，２又は３の回路遮断器のインターロック装置。
【請求項６】
前記操作レバーのＯＮ方向の回転によって回転した前記連結用レバーをＯＦＦ方向に復帰回転させる方向に作用するばね（３９Ａ，３９Ｂ）と、
前記ハンドルのトリップの位置とＯＦＦの位置との間で前記連結用レバーの前記ばねの作用による復帰回転を係止するラッチ手段（３２Ａ：３０Ａ、３２Ｂ：３０Ｂ）と、
前記ハンドルをトリップの位置からＯＦＦの位置に移動させる途中で前記ラッチ手段による前記連結用レバーの係止を解除させる前記操作レバーに設けられたピン（４０Ａ，４０Ｂ）と、
を双方の前記回路遮断器に設けたこと特徴とする請求項５の回路遮断器のインターロック装置。
【発明の詳細な説明】
【０００１】
【発明の属する技術分野】
本発明は、共に絶縁物のケース内に構成されている２台の回路遮断器の一方がＯＮ状態にあるとき他方をＯＮにできないような機械的なインターロック装置に関する。
【０００２】
【従来の技術】
電気回路において２台の回路遮断器の一方がＯＮ状態にあるとき他方をＯＮにできないようにインターロックを構成する必要のある場合がある。図７はこのような目的を実現するために構成された従来の回路遮断器のインターロック装置である。図７を参照して、右側の回路遮断器１０１Ａは成型絶縁物製のケース内に固定接触子１０２Ａと可動接触子１０３Ａを収納しており、左側の回路遮断器１０１Ｂも同様に成型絶縁物製のケース内に固定接触子１０２Ｂと可動接触子１０３Ｂを収納している。双方の回路遮断器は共通の取付板１００上に取り付けられている。インターロック装置は、取付板１００に設けられた支持フレーム１０４、支持フレーム１０４に回転自在に支持されているレバー１０５、レバー１０５の両端に取り付けられた動作棒１０６Ａ及び１０６Ｂを備えている。動作棒１０６Ａ及び１０６Ｂは、それぞれ回路遮断器１０１Ａ及び回路遮断器１０１Ｂの底部に形成された孔から内部に挿入され、その先端がそれぞれ可動接触子１０３Ａ及び１０３Ｂと対向している。
【０００３】
右側及び左側の回路遮断器はそれぞれハンドル１０７Ａ及び１０７Ｂを操作することによってＯＮ及びＯＦＦ操作をすることができる。図７の右側の回路遮断器１０１Ａは可動接触子１０３Ａが固定接触子１０２Ａから開離したＯＦＦ状態であり、左側の回路遮断器１０１Ｂは双方が接触したＯＮ状態である。この状態において、可動接触子１０３Ｂが動作棒１０６Ｂの先端を押しているためレバー１０５が右上がりの傾斜をもって傾いている。このため、ハンドル１０７Ａによって右側の回路遮断器１０１ＡをＯＮ操作すると、可動接触子１０３Ａは下方に動き始めてすぐに動作棒１０６Ａの先端部に接触する。このため、右側の回路遮断器１０１ＡをＯＮにすることができない。先に右側の回路遮断器１０１ＡがＯＮにされているとき左側の回路遮断器１０１Ｂも同様にＯＮにすることはできない。
【０００４】
【発明が解決しようとする課題】
上述した従来の回路遮断器のインターロック装置は回路遮断器の裏面に孔を開ける必要があり、装置を製作することが複雑であった。また、従来のインターロック装置はＯＮ状態にある回路遮断器がトリップして接触子が開離したときは他方の回路遮断器をＯＮにすることが可能である。すなわち、他方の回路遮断器の負荷回路が不意に通電状態となるという問題もある。
したがって、本願発明は、構成が簡単で取付の容易な回路遮断器のインターロック装置を提供することを目的とする。また、他の目的は、ＯＮ状態にある遮断器がトリップしたときはリセット操作という意識的な行為を経なければいずれの回路遮断器もＯＮにできないというインターロック装置を提供することにある。
【０００５】
【課題を解決するための手段】
上記の問題を解決するために、請求項１の発明は、箱内に開閉接触子と開閉接触子を操作する開閉機構が収納され、開閉機構を操作するハンドルが箱から突き出るように設けられた２台の回路遮断器が同時にＯＮ状態になることを阻止する機械的なインターロック装置において、ハンドルの移動に追随して回転する操作レバーと、ロックピンを備えたロックレバーと、回路遮断器がＯＮ及びＯＦＦ操作されるときロックピンと係合してロックレバーを回転させる操作レバーに設けられた操作縁と、ロックレバーがロック位置にあるときロックピンが係合して操作レバーのＯＮ方向の回転を阻止する操作レバーに設けられたロック縁と、を双方の回路遮断器に備え、いずれか一方の回路遮断器がＯＮ操作されたとき他方の回路遮断器のロックレバーをロック位置に変位させるように双方の回路遮断器のロックレバーを連結する連結部材を備えたこととしている。
【０００６】
このような構成によって、一方の回路遮断器がＯＮ状態にあるとき、連結部材を介して他方の回路遮断器のロックレバーを回転させてロックピンが他方の回路遮断器の操作レバーのロック縁と係合する位置にある。このため、他方の回路遮断器のＯＮ操作をしてもロック縁がロックピンと係合し、操作レバーを回転させることができないためＯＮ状態にすることができない。
【０００７】
請求項２の発明は、請求項１の発明において、ＯＮ状態にある一方の回路遮断器がトリップ状態になったとき該一方の回路遮断器のロックレバーをＯＮ状態の位置に保持する保持手段を双方の回路遮断器に備えたこととしている。
このような構成によって、ＯＮ状態にあった一方の回路遮断器がトリップしても保持手段によって一方の回路遮断器のロックレバーは操作レバーのＯＮ方向の回転を阻止する位置にある。このため、誤って他方の回路遮断器をＯＮにすることがない。
【０００８】
請求項３の発明は、請求項２の発明において、保持手段はロックレバーに設けられた保持ピンとロックレバーがＯＮ状態の位置に保持されるよう保持ピンを保持するベース部材に設けられた弾性部材であることとしているため、簡単な構造で請求項２の作用を実現できる。
【０００９】
請求項４の発明は、請求項１、２又は３の発明において、連結部材は直線的にスライドすることとしているため、簡単な構造で請求項１，２又は３の作用を実現できる。
【００１０】
請求項５の発明は、請求項１、２又は３の発明において、操作レバーがＯＮ方向に回転したとき回転する連結用レバーを双方の回路遮断器に設けるとともに固定されたチューブ内をスライド自在であってその一方及び他方の端部がそれぞれ一方及び他方の回路遮断器の連結用レバーに連結されるワイヤーを設け、一方側の操作レバーがＯＮ方向に回転したとき他方側の連結用レバーは該他方側のロックレバーをロック位置に回転させることとし、双方の回路遮断器のインターロック部材がワイヤで連結されているため、両遮断器を並列して取り付けるという制限がなくなり取付に自由性ができる。
【００１１】
請求項６の発明は、請求項５の発明において、操作レバーのＯＮ方向の回転によって回転した連結用レバーをＯＦＦ方向に復帰回転させる方向に作用するばねと、ハンドルのトリップの位置とＯＦＦの位置との間で連結用レバーのばねによる復帰回転を係止するラッチ手段と、ハンドルをトリップの位置からＯＦＦの位置に移動させる途中でラッチ手段による連結用レバーの係止を解除させる操作レバーに設けられたピンと、を双方の回路遮断器に設けることとしている。
【００１２】
このような構成によって、ＯＮ状態にあった一方の回路遮断器がトリップしてそのハンドルがＯＦＦ方向に移動しＯＮ位置とＯＦＦ位置の中間の位置（トリップ位置）で停止した状態では、一方の回路遮断器の連結用レバーがラッチ手段によってその復帰回転が停止し、他方の回路遮断器の連結用レバーの回転も停止する。この時点で、この他方の回路遮断器の連結用レバーはロックレバーをロック位置に留めておくため、この他方の回路遮断器の操作レバーをＯＮ方向に回転できない。
【００１３】
【発明の実施の形態】
本発明の実施の形態を、図１ないし図３に示されている第１実施例及び図４ないし図６に示されている第２実施例において説明する。なお、第１実施例及び第２実施例の双方に共通又は本質的に共通である構成部材の説明は、同一の記号を付して第１実施例において行う。
【００１４】
図１を参照して、右側の回路遮断器は、成型絶縁物製のケース１０Ａ内に、図示されていない開閉接触子と、この開閉接触子を開閉する開閉機構と、過電流が流れたとき動作して開閉機構を動作させて開閉接触子を開離させるトリップ機構を収納している。この回路遮断器は、開閉機構を操作するケース１０Ａから突き出たハンドル１１Ａを上方に移動させることによって開閉接触子をＯＮにすることができ、下方に移動させることによってＯＦＦにすることができる。また、トリップ機構が動作すると自動的にハンドル１１ＡはＯＮの位置とＯＦＦの位置の中間に位置し、ハンドル１１Ａをトリップの位置から下方に移動させるリセット操作を行うことによってＯＦＦの状態にすることができる。
【００１５】
第１実施例のインターロック装置は、回路遮断器毎に装着される機構ユニットとこの２個の機構ユニットを連結する連結部材を有する。右側の回路遮断器の機構ユニットは、ケース１０Ａの表面に取り付けられた成型絶縁物製のベース１２Ａ、ベース１２Ａ上に軸１４Ａによって回転自在に設けられた操作レバー１３Ａ及びベース１２Ａ上に軸１６Ａによって回転自在に設けられたロックレバー１５Ａを有している。操作レバー１３Ａには、ハンドル１１Ａが差し込まれた孔１７Ａと略ひょうたん型の孔２０Ａが形成されている。ひょうたん型孔２０Ａはロック縁１８Ａと操作縁１９Ａを有している。また、ロックレバー１５Ａの一端にはひょうたん型孔２０Ａに差し込まれたロックピン２１Ａが備えられ、他端に保持ピン２２Ａが備えられている。さらに、ベース１２Ａには後述するように保持ピン２２Ａをキャッチするクリップ２３Ａが一体に形成されており、ロックレバー１５Ａ上には連結バー２４Ａが保持ピン２２Ａによって回転自在に支持されている。なお、クリップ２３Ａの二股状の脚の先端の間隔は保持ピン２２Ａの直径よりやや小さくなるように形成されている。そして、後述するように保持ピン２２Ａがクリップ２３Ａの二股状の脚の間に入り込むとき先端部が広がり、入った後は元の間隔になるようにわずかの弾性を有する材料が選定されている。
【００１６】
右側の回路遮断器と並べて取り付けられている左側の回路遮断器にも右側と同様の機構ユニットが取り付けられている。この左側の機構ユニットは右側のものと左右対称になっているだけであるため、その各部材には符号の末尾に「Ａ」の代わりに「Ｂ」の文字をつけて示し各部材の説明は省略する。双方の機構ユニットは、連結バー２４Ａと連結バー２４Ｂがねじ２５で結合されることによって連結されている。以下に、このように構成されている実施例の動作について説明する。
【００１７】
図１を参照して、右側及び左側の回路遮断器（以下、右側遮断器及び左側遮断器という。）はＯＦＦの状態にある。この状態ではいずれの回路遮断器もＯＮ操作をすることができる。ここでは、ハンドル１１Ａを上方に移動させて右側遮断器をＯＮ操作する場合について説明する。この操作によって操作レバー１３Ａが反時計方向に回転し、この回転の終期にロックピン２１Ａがひょうたん型孔２０Ａの操作縁１９Ａに押されてロックレバー１５Ａが時計方向に回転する。このロックレバー１５Ａの回転によって保持ピン２２Ａがクリップ２３Ａの二股の脚の先端部を広げてその間に入り込むとともに、連結バー２４Ａ及び連結バー２４Ｂが右方向に移動し、保持ピン２２Ｂを介してロックレバー１５Ｂが時計方向に回転する。このロックレバー１５Ｂの回転によってロックピン２１Ｂがひょうたん型孔２０Ｂのロック縁１８Ｂ付近に移動する。この状態が図２に示されている。
【００１８】
図２を参照して、右側遮断器がＯＮ状態で、ハンドル１１Ｂを上方へ移動させて左側遮断器のＯＮ操作を行っても、操作レバー１３Ｂのロック縁１８Ｂがロックピン２１Ｂと接触してロックレバー１５Ｂを時計方向に付勢するが、保持ピン２２Ａがクリップ２３Ａによってブロックされている。したがって、操作レバー１３Ｂが時計方向に回転できないため、左側遮断器をＯＮにすることができない。このロックレバー１５の時計方向の回転はベース１２Ａ上に形成された突起状のストッパ２６Ｂによって阻止される構造のものであってもよい。
【００１９】
図３を参照して、右側遮断器がトリップした場合、ハンドル１１Ａが操作レバー１３Ａを時計方向に回転させながらＯＮ位置とＯＦＦ位置の中間に移動する。このとき保持ピン２２Ａがクリップ２３Ａによって保持されているため、ロックピン２１Ａはひょうたん型孔２０Ａの中ほどに位置するとともに、連結バー２４ＡはＯＮの状態と同じ位置にある。このため、右側遮断器がトリップ状態であっても左側遮断器をＯＮにすることができない。このトリップの状態においてハンドル１１Ａを下方に移動させてリセット操作を行うと、ひょうたん型孔２０Ａの括れ部分がロックピン２１Ａを押してロックレバー１５Ａを反時計回転させ保持ピン２２Ａをクリップ２３Ａから脱出させて図１の状態に戻る。なお、図２のＯＮ状態でハンドル１１Ａを下方に移動させてＯＦＦ操作を行っても、リセット操作の場合と同様にロックレバー１５Ａが反時計方向に回転して図１の状態となる。以上の説明は、左側遮断器についても動作が左右対称になるだけで同じ内容のものとなる。
【００２０】
次に、第２実施例について説明する。第２実施例のインターロック装置は、その機構ユニットが成型絶縁物製のベース１２Ａ、操作レバー１３Ａ、ロックレバー１５Ａ、操作レバー１３Ａの孔１７Ａと略ひょうたん型の孔２０Ａ、ひょうたん型孔２０Ａのロック縁１８Ａと操作縁１９Ａ、ロックレバー１５Ａ上のロックピン２１Ａと保持ピン２２Ａ及びベース１２Ａのクリップ２３Ａを備えている点は第１実施例と同様である。
【００２１】
しかし、第２実施例のロックレバー１５Ａは、ばね２７Ａによって時計方向に付勢されて、後述する連結用レバー３１Ａの係合端３３Ａと接触するようになっている。さらに、ベース１２Ａ上にはばね２８Ａによって反時計方向に付勢された係止レバー２９Ａが設けられており、係止レバー２９Ａには係止突起３０Ａが形成されている。また、左右の回路遮断器の機構ユニットが対称に構成されている第１実施例と異なり、この第２実施例では同じ方向に構成されている。なお、各部材の符号は第１実施例の説明にならって右側の部材には末尾に「Ａ」の文字をつけ、左側の部材には「Ｂ」の文字をつける。
【００２２】
さらに、この第２実施例の軸１４Ａには連結用レバー３１Ａが支持されており、連結用レバー３１Ａは係止突起３０Ａとの係合端３２Ａ、ロックレバー１５Ａとの係合端３３Ａ、連結用部材である連結用ワイヤ３４の一端を保持するワイヤ保持端３５Ａ及び受動端３６Ａを有する。連結用ワイヤ３４はケース１０Ａに取り付けられたチューブ支持ベース３７Ａに端部が固定されたチューブ３８に挿し込まれチューブ３８内を移動自在である。また、後述するように右側遮断器がＯＮにされてワイヤ保持端３５Ａが下方に移動し左側遮断器のワイヤ保持端３５Ｂが上方に移動したとき、ワイヤ保持端３５ＢをＯＦＦ状態における位置に復帰させるよう下方に付勢する圧縮ばね３９Ｂがチューブ支持ベース３７Ｂに設けられている。
【００２３】
図４の状態は両遮断器がＯＦＦの状態であり、この状態ではロックピン２１Ａがばね２７Ａの作用によりひょうたん型の孔２０Ａの括れた部分に接触している。この状態ではいずれの遮断器もＯＮ操作が可能であり、右側遮断器をＯＮ操作すると第１実施例と同様にロックレバー１５Ａが時計方向に回転して保持ピン２２Ａがクリップ２３Ａの脚の間に入り込むとともに、操作レバー１３Ａに設けられたピン４０Ａが受動端３６Ａを押して連結用レバー３１Ａを反時計方向に回転させる。この連結用レバー３１Ａの回転により連結用ワイヤ３４が、ワイヤ保持端３５Ａ側の端部が下方に移動するように、すなわちワイヤ保持端３５Ｂが上方に移動するように移動する。この結果、係合端３３Ｂがロックレバー１５Ｂの下端部を押してロックレバー１５Ｂを反時計方向に回転させ、ロックピン２１Ｂをひょうたん型の孔２０Ｂのロック縁１８Ｂに移動させる。なお、係合端３３Ｂは弾性を有しており、この状態において係合端３３Ｂが撓んでロックレバー１５Ｂを押している。この状態が図５に示されている。このような状態において左側遮断器のＯＮ操作を行うと、ロック縁１８Ｂがロックピン２１Ｂと係合し、ロックレバー１５Ｂがわずかに反時計方向に回転してベース１２Ｂ上に形成された突起状のストッパ４１Ｂと係合しその回転が阻止されるため、操作レバー１３Ｂを回転することができない。すなわち、左側遮断器をＯＮにすることはできない。
【００２４】
次に、図５の状態で右側遮断器がトリップした場合は、保持ピン２２Ａがクリップ２３Ａによって保持されているため、第１実施例と同様にロックピン２１Ａはひょうたん型孔２０Ａの中ほどに位置する。このときの操作レバー１３Ａの時計方向の回転によって、圧縮ばね３９Ｂの作用により連結用レバー３１Ａが時計方向に付勢されるが、連結用レバー３１Ａはわずかな回転をしたとき係合端３２Ａが係止突起３０Ａと係合するためその回転が停止する。この状態が図６に示されており、連結用レバー３１Ｂもわずかしか反時計方向に回転しない上、係合端３３Ｂの撓みは小さくなるがロックピン２１Ｂをロック縁１８Ｂの位置に留めている。このため左側遮断器をＯＮ操作しても、ロックレバー１５Ｂがストッパ４１Ｂと係合し操作レバー１３Ｂを回転させることができないためＯＮにすることができない。この状態で右側遮断器のリセット操作を行うと、操作レバー１３Ａが時計回転してピン４０Ａが係止レバー２９Ａを時計回転させて、係止突起３０Ａと係合端３２Ａとの係合を解消させて左右の連結用レバー３１Ａ及び３１Ｂが圧縮ばね３９Ｂの作用によりそれぞれ時計回転及び反時計回転して図４の状態に戻る。一方、ひょうたん型孔２０Ａの括れ部分がロックピン２１Ａを押してロックレバー１５Ａを回転させて保持ピン２３Ａをクリップ２３Ａから離脱させて図４の状態に戻る。なお、図５のＯＮ状態でハンドル１１Ａを下方に移動させてＯＦＦ操作を行っても、リセット操作の場合と同様にロックレバー１５Ａが反時計方向に回転して図１の状態となる。
【００２５】
【発明の効果】
本発明は、以上説明した形態で実施され、請求項１の発明は、ハンドルの移動に追随して回転する操作レバーと、ロックピンを備えたロックレバーと、回路遮断器がＯＮ及びＯＦＦ操作されるときロックピンと係合してロックレバーを回転させる操作レバーに設けられた操作縁と、ロックレバーがロック位置にあるときロックピンが係合して操作レバーのＯＮ方向の回転を阻止する操作レバーに設けられたロック縁と、を双方の回路遮断器に備え、いずれか一方の回路遮断器がＯＮ操作されたとき他方の回路遮断器のロックレバーをロック位置に変位させるように双方の回路遮断器のロックレバーを連結する連結部材を備える構成としているため、遮断器内部に貫通する孔を空ける必要がなく回路遮断器の表面に簡単に取り付けることができるインターロック装置を提供できるという効果を奏する。
【００２６】
請求項２及び請求項３の発明は、請求項１の発明において、一方の回路遮断器がトリップ状態にあるとき他方の回路遮断器の操作レバーのＯＮ方向の回転が阻止される位置に他方の回路遮断器のロックレバーを保持する保持手段を備える構成としているため、通電状態にあった電気回路の回路遮断器がトリップしても、他方の回路遮断器をＯＮにして他方の電気回路を通電状態にしてしまうと誤りを防止できるという効果を奏する。
【００２７】
請求項４の発明は、連結部材は直線的にスライドする構成としているため、簡単な構造でインターロック機能を有する回路遮断器を設置できるという効果を奏する。
【００２８】
請求項５及び６の発明は、連結部材をワイヤーで構成しているため２台の回路遮断器を並列して取り付けるという制限がなくなり、取付に自由性ができるという効果を奏する。
【図面の簡単な説明】
【図１】本願発明の第１実施例の回路遮断器のインターロック装置であって、両遮断器がＯＦＦの状態にあるときの正面図である。
【図２】右側遮断器がＯＮ状態、左側遮断器がＯＦＦ状態にあるときの図１相当図である。
【図３】右側遮断器がトリップ状態、左側遮断器がＯＦＦ状態にあるときの図１相当図である。
【図４】本願発明の第２実施例の回路遮断器のインターロック装置であって、両遮断器がＯＦＦの状態にあるときの正面図である。
【図５】右側遮断器がＯＮ状態、左側遮断器がＯＦＦ状態にあるときの図４相当図である。
【図６】右側遮断器がトリップ状態、左側遮断器がＯＦＦ状態にあるときの図４相当図である。
【図７】従来の回路遮断器のインターロック装置を示す図である。
【符号の説明】
１０Ａ、１０Ｂ　ケース
１１Ａ、１１Ｂ　ハンドル
１２Ａ、１２Ｂ　ベース
１３Ａ、１３Ｂ　操作レバー
１４Ａ、１４Ｂ　軸
１５Ａ、１５Ｂ　ロックレバー
１６Ａ、１６Ｂ　軸
１７Ａ、１７Ａ　ハンドル保持孔
１８Ａ、１８Ｂ　ロック縁
１９Ａ、１９Ｂ　操作縁
２０Ａ，２０Ｂ　ひょうたん型の孔
２１Ａ、２１Ｂ　ロックピン
２２Ａ、２２Ｂ　保持ピン
２３Ａ、２３Ｂ　クリップ
２４Ａ、２４Ｂ　連結バー
２５　ねじ
２６Ａ、２６Ｂ　ストッパ
２７Ａ、２７Ｂ　ばね
２８Ａ、２８Ｂ　ばね
２９Ａ、２９Ｂ　係止レバー
３０Ａ、３０Ｂ　係止突起
３１Ａ、３１Ｂ　連結用レバー
３２Ａ、３２Ｂ　係合端
３３Ａ、３３Ｂ　係合端
３４　連結用ワイヤ
３５Ａ、３５Ｂ　ワイヤ保持端
３６Ａ、３６Ｂ　受動端
３７Ａ、３７Ｂ　チューブ支持ベース
３８　チューブ
３９Ａ、３９Ｂ　圧縮ばね
４０Ａ、４０Ｂ　ピン
４１Ａ、４１Ｂ　ストッパ
【図１】
2004006202.tif 000003
【図２】
2004006202.tif 000004
【図３】
2004006202.tif 000005
【図４】
2004006202.tif 000006
【図５】
2004006202.tif 000007
【図６】
2004006202.tif 000008
【図７】
2004006202.tif 000009